(57)【要約】【課題】  計量カップ蓋液体容器の注ぎ樋蓋が液体容器口部に固定又は簡単に堕着出来ない形状に形成されている場合、液体容器内に液体を補充するにあたり液体を液体詰め替え袋の抽出口より注ぎ樋蓋の注ぎ樋付け根の狭い抽出口に流入しなければならず注ぎ樋蓋の外にこぼれてしまう。【解決手段】液体容器口部の雄螺子の下に連立突起を形成し、前期雄螺子に螺合する雌螺子を形成して成る注ぎ樋蓋に前記連立突起に引っ掛かる引っ掛け爪を設けて、引っ掛け爪を注ぎ樋蓋側部の外よりコントロールする為のハンドルレバーを引っ掛け爪より注ぎ樋蓋側部外へ伸ばし、液体容器の口部へ立ち上がり部と注ぎ樋蓋側部裾は密着形状にして、注ぎ樋蓋と、引っ掛け爪と、ハンドルレバーは柔軟性合成樹脂を持ちえて成型する。【選択図】図４
2013177197.tif 000002
【特許請求の範囲】
【請求項１】
容器本体と蓋を螺合する容器において、容器口部外方の螺子下と該螺子下の位置と、対応する位置の蓋外方とを連立突起と爪で係止する蓋のゆるみ止め機構を備えたことを特徴とする包装容器。
【請求項２】
蓋のゆるみ止め機構は、連立突起が容器口部外方の螺子下に形成され、爪は蓋下方に設けられたことを特徴とする請求項１に記載の包装容器。
【請求項３】
蓋のゆるみ止め機構は、蓋外方の下部に連立突起が配設されており、連立突起に係止する爪は爪取り付け装置により容器上部に装着されていることを特徴とする請求項１に記載の包装容器。
【請求項４】
蓋のゆるみ止め機構は、ラチェットとしたことを特徴とする請求項1乃至請求項３のいずれかに記載の包装容器。
【発明の詳細な説明】
【技術分野】
【０００１】
この発明は、包装容器口部に装着する螺子子の係止に関するものである。
【背景技術】
【０００２】
従来、家庭用の汎用液体洗濯洗剤包装容器は、液体容器と液体注ぎ樋蓋と計量カップ蓋とにより構成された計量カップ蓋液体容器が主に使用されていて、この計量カップ蓋液体容器は注ぎ樋蓋が液体容器口部より簡単に堕着出来ない形状に形成されていた。
【先行技術文献】
【特許文献】
【０００３】
【特許文献１】特開２０１０−３０６０６号公報
【特許文献２】特開２０１０−２６０５８３号公報
【発明の概要】
【０００４】
液体容器口部の雄螺子の下に連立突起を形成し、液体容器口部の雄螺子に螺合し雌螺子を有して成る液体注ぎ樋蓋に前記連立突起に引っ掛かる引っ掛け爪を設け、連立突起と連立突起に引っ掛かる引っ掛け爪との関係をラチェット状態の様にして、引っ掛け爪を注ぎ樋蓋側部の外よりコントロールする為のハンドルレバーを引っ掛け爪より注ぎ樋蓋側部外へ伸ばして、液体容器の口部へ立ち上がり部と注ぎ樋蓋側部裾は密着形状にして、注ぎ樋蓋と、引っ掛け爪と、ハンドルレバーは柔軟性合成樹脂を持ちえて成型する。
【発明が解決しようとする課題】
【０００５】
計量カップ蓋液体容器の注ぎ樋蓋が液体容器口部より簡単に堕着出来ない形状に形成されている場合、液体容器内に液体を補充するにあたり液体を液体詰め替え袋の抽出口より注ぎ樋蓋の注ぎ樋付け根の狭い液体抽出口に液体を流入しなければならず液体が注ぎ樋蓋の外にこぼれてしまう解決すべき課題がある。
【０００６】
液体容器口部に装着された蓋にピストル形状液体抽出ポンプが装着された液体容器の場合、液体抽出ポンプを使用中に蓋が緩むなど解決すべき課題がある。
【課題を解決するための手段】
【０００７】
本発明の請求項１は、容器本体と蓋を螺合する容器において、容器口部外方の螺子下と該螺子下の位置と、対応する位置の蓋外方とを連立突起と爪で係止する蓋のゆるみ止め機構を備えた包装容器である。
【０００８】
本発明の請求項２は、蓋のゆるみ止め機構は、連立突起が容器口部外方の螺子下に形成され、爪は蓋下方に設けられた包装容器である。
【０００９】
本発明の請求項３は、蓋のゆるみ止め機構は、蓋外方の下部に連立突起が配設されており、連立突起に係止する爪は爪取り付け装置により容器上部に装着されている包装容器である。
【００１０】
本発明の請求項４は、蓋のゆるみ止め機構は、ラチェットとした包装容器。
【００１１】
請求項１および請求項２に対応する容器である液体容器Ａは、液体容器Ａ口部の雄螺子の下に連立突起を形成し、連立突起に引っ掛かる引っ掛け爪を、液体容器Ａ口部の雄螺子に螺合する雌螺子を形成して成る蓋である液体注ぎ樋蓋の雌螺子下に設けて、連立突起と爪とによりラチェットの状態の様にして、引っ掛け爪を注ぎ樋蓋側部の外よりコントロールする為のハンドルレバーを引っ掛け爪より注ぎ樋蓋側部外へ伸ばしハンドルレバーと注ぎ樋蓋との接合部を、ハンドルレバーを操作してねじれるためのくびれ形状に成型する、液体容器Ａの口部へ立ち上がり部と注ぎ樋蓋側部裾は密着形状にして、注ぎ樋蓋と、引っ掛け爪と、ハンドルレバーは柔軟性合成樹脂を持ちえて一体成型した蓋のゆるみ止め機構を備えた包装容器である。
【００１２】
包装容器である液体容器Ｂは、注ぎ樋蓋側部の下部は楕円形状でスカート状に開いて、注ぎ樋蓋裾部内側に爪設けて、液体容器Ｂ上部の口部への立ち上がり部に爪に引っ掛かる様に連立突起を形成する、と共に液体容器Ｂの口部へ立ち上がり部と注ぎ樋蓋側部裾は連立突起から引っ掛け爪を外すことが出来る十分な間隔をとり、注ぎ樋蓋と引っ掛け爪を柔軟性合成樹脂で一体成型する。
【００１３】
包装容器である液体容器Ｃは、注ぎ樋蓋側部の下部は楕円形状でスカート状に開いて、連立突起を注ぎ樋蓋裾外側に形成して，注ぎ樋蓋と連立突起を柔軟性合成樹脂で一体成型し、連結突起に引っ掛かる引っ掛け爪を液体容器上部に形成する様に液体容器Ｃを成型する、と共に液体容器Ｃの口部へ立ち上がり部と注ぎ樋蓋側部裾は爪から連立突起を外すことが出来る十分な間隔をとる。
【００１４】
液体容器口部外周に連立突起を形成し難い素材の液体容器の場合は、液体容器上部の口部への立ち上がり部に連立突起を有するベルトを巻き、その連立突起に引っ掛かる様に蓋側部の下部に爪を設け、その爪をコントロールするコントロールハンドルレバーを爪より注ぎ樋蓋側部横に伸ばす。
【００１５】
請求項１および請求項３に対応する包装容器である液体容器Dは、液体容器D口部の雄螺子に螺合する雌螺子を形成して成る注ぎ樋蓋側面の下部に連立突起を配設して、連立突起に引っ掛かる引っ掛け爪と、その爪から続いていて爪をコントロールするハンドルレバーと、爪取り付け装置を柔軟性合成樹脂で一体に成型して、液体容器D上部に爪取り付け装置を挿入する穴を設けて、爪取り付け装置を爪取り付け穴に挿入し装着する。
【００１６】
前記爪取り付け装置の形状は、爪取り付け穴奥に係止する多角柱部分と、ハンドルレバーに続きハンドルレバーを回転するための円柱部分と、多角柱部分と円柱部分とを繋ぎ多角柱部分と円柱部分よりも細くなっているハンドルレバーを回転してねじれるくびれ部分とから成っていて、爪取り付け穴下部はハンドルレバー取り付け装置の多角柱部分を係合する形状にして、多角柱部分の上は円筒形にした蓋のゆるみ止め機構を備えた包装容器である。
【００１７】
請求項４に対応する包装容器である液体容器は、液体容器口部外周に形成する連立突起を本体ラチェットとして、液体容器口部外周の雄螺子に螺合する雌螺子を有して成る蓋が請求項１および請求項２では、蓋と、引っ掛け爪と、ハンドルレバーを柔軟性合成樹脂を持ちえて一体成型してあって、注ぎ樋蓋と爪との接合部の柔軟性により引っ掛け爪が可動可能になり、連立突起と引っ掛け爪との間にラチェット状態を作ることができているが、柔軟性に欠ける素材の金属や硬質合成樹脂で形成されている蓋に設ける爪とコントロールハンドルには、蓋と爪との接合部の柔軟性に変えてスプリングとシャフトを設け爪ラチェットにして、本体ラチェットと爪ラチェットの両者によりラチェット機能を持たせてあり、請求項１および請求項３では蓋側面下部の連立突起を本体ラチェットとして、液体容器上部に装着された爪を爪ラチェットとして両者によりラチェット機能を持たせる蓋のゆるみ止め機構を備えた包装容器である。
【発明の効果】
【００１８】
液体容器Ａは、液体容器Ａ口部の雄螺子の下に連立突起を形成し、連立突起に引っ掛かる引かけ爪を注ぎ樋蓋の雌螺子下に設けて、引っ掛け爪を注ぎ樋蓋側部の外よりコントロールする為のハンドルレバーを引っ掛け爪より注ぎ樋蓋側部外へ伸ばしてあり、注ぎ樋蓋と、引っ掛け爪と、ハンドルレバーは柔軟性合成樹脂を持ちえて一体成型してあることにおいて、連立突起に爪が係止されていて注ぎ樋蓋を必要以上に強く閉めることなしに計量カップ蓋を開け閉めしても注ぎ樋蓋と液体容器Ａ口部とは緩むことはない。
【００１９】
引っ掛け爪を注ぎ樋蓋側部の外よりコントロールする為のハンドルレバーを引っ掛け爪より注ぎ樋蓋側部外へ伸ばしてあることにおいて、液体容器Ａから注ぎ樋蓋はハンドルレバーの操作により簡単に回し緩めて堕着できる。
【００２０】
注ぎ樋蓋と、引っ掛け爪と、ハンドルレバーは柔軟性合成樹脂を持ちえて一体成型してあることにおいて、注ぎ樋蓋と爪との接合部の柔軟性により引っ掛け爪が可動可能になり、連立突起と引っ掛け爪との間にラチェット状態を作ることができる。
【００２１】
液体容器Ａの口部へ立ち上がり部分と注ぎ樋蓋側部裾は密着形状にしてあることにおいて、液体容器Ａ口部雄螺子下の連立突起と注ぎ樋蓋の雌螺子下に設けた連立突起に引っ掛かる引っ掛け爪との関係の密着度を保つことができる。
【００２２】
液体容器Ｂ及び液体容器Ｃは、注ぎ樋蓋を柔軟性合成樹脂を持ちえて成型して注ぎ樋蓋側部の下部は楕円形状でスカート状に開いていることにおいて、注ぎ樋蓋裾を指で変形することができる。
【００２３】
液体容器Ｂ及び液体容器Ｃは、注ぎ樋蓋側部の下部は楕円形状でスカート状に開いていることにおいて、注ぎ樋蓋側部裾と液体容器Ａ及びＢ上部の口部へ立ち上がり部との間隔を、連立突起から引っ掛け爪を外すことが出来る十分な間隔を取ることが出来る、
【００２４】
連立突起又は本体ラチェットが容器口部雄螺子下に形成されていて、爪とハンドルレバー又は爪ラチェットが蓋の雌螺子下に配設されていることにおいて、容器口部を覆う天板有して成る螺子蓋に使用できる。
【００２５】
液体容器Dは、液体容器上部に爪取り付け装置を挿入する穴を設けてあり、爪取り付け装置穴下部はハンドルレバー取り付け装置の多角柱部分に係合する形状に成っていて、ハンドルレバー取り付け装置の下部は液体容器穴奥に係止する多角柱部分に成っていることにおいて、ハンドルレバーを操作しても液体容器からハンドルレバーが抜け落ちることはない。
【図面の簡単な説明】
【００２６】
【図１】液体容器Ａ（１）の正面図。
【図２】液体容器Ａ（１）と注ぎ樋蓋（６）の平面図。
【図３】液体容器Ａ（１）上部と注ぎ樋蓋（６）の正面図。
【図４】液体容器Ａ（１）上部と注ぎ樋蓋（６）の右側面図
【図５】液体容器Ａ口部（２）の正面図。
【図６】図２のＡ−Ａ線切断部端面図を示す。
【図７】図４のＢ−Ｂ線切断部端面図を示す。
【図８】液体容器Ｂ（１０）の正面図。
【図９】液体容器Ｂ（１０）と注ぎ樋蓋（１１）の平面図。
【図１０】図８のＣ−Ｃ線切断部端面図を示す。
【図１１】図９のＤ−Ｄ線切断部端面図を示す。
【図１２】図１０の爪（１３）と連立突起（１５）の拡大を示す図
【図１３】液体容器Ｂ口部（１４）の正面図。
【図１４】液体容器Ｃ（１６）の正面図。
【図１５】図１４のＥ−Ｅ線切断部端面図を示す。
【図１６】液体容器D（２２）の正面図。
【図１７】液体容器D（２２）上部と注ぎ樋蓋（２３）の正面図。
【図１８】液体容器D（２２）上部と注ぎ樋蓋（２３）の右側面図
【図１９】液体容器D（２２）と注ぎ樋蓋（２３）の平面図。
【図２０】図１９のF−F線切断部端面図を示す。
【発明を実施するための形態】
【００２７】
以下図面に基づき説明する。
液体容器Ａ（１）の形態は、液体容器Ａ口部（２）の雄螺子（３）の下に連立突起（４）を雄螺子（３）の傾斜角度と同じ傾斜角度を持って形成し、前記連立突起（４）に引っ掛かる引っ掛け爪（５）を注ぎ樋蓋（６）の雌螺子（７）下に雌螺子（７）の傾斜角度と同じ傾斜角度を持って設けて、引っ掛け爪（５）を注ぎ樋蓋（６）側部の外よりコントロールする為のハンドルレバー（８）を引っ掛け爪（５）より水平に注ぎ樋蓋（６）側部外へ伸ばし、液体容器Ａ（１）の口部へ立ち上がり部と注ぎ樋蓋裾（９）は密着形状にして、注ぎ樋蓋（６）と、引っ掛け爪（５）と、ハンドルレバー（８）は柔軟性合成樹脂を持ちえて一体成型する。
【００２８】
液体容器Ｂ（１０）の形態は、注ぎ樋蓋（１１）側部の注ぎ樋蓋裾（１２）部は楕円形状でスカート状に開いて、注ぎ樋蓋裾（１２）部内側に引っ掛け爪（１３）を雌螺子の傾斜角度と同じ傾斜角度を持って設けて、液体容器Ｂ（１０）上部の液体容器Ｂ口部（１４）への立ち上がり部に連立突起（１５）を引っ掛け爪（１３）に引っ掛かる様に雄螺子の傾斜角度と同じ傾斜角度を持って設ける、と共に液体容器Ｂ（１０）の液体容器Ｂ口部（１４）へ立ち上がり部と注ぎ樋蓋（１１）側部の注ぎ樋蓋裾（１２）は連立突起（１５）から引っ掛け爪（１３）を外すことが出来る十分な間隔をとり、注ぎ樋蓋（１１）と引っ掛け爪（１３）を柔軟性合成樹脂で一体成型する。
【００２９】
液体容器Ｃ（１６）の形態は、注ぎ樋蓋（１７）側部の注ぎ樋蓋裾（１８）部は楕円形状でスカート状に開いて、連立突起（１９）を雌螺子の傾斜角度と同じ傾斜角度を持って注ぎ樋蓋裾（１８）外側に形成する様に，注ぎ樋蓋（１７）と連立突起（１９）を柔軟性合成樹脂で一体成型して、連立突起（１９）に引っ掛かる引っ掛け爪（２０）を雄螺子の傾斜角度と同じ傾斜角度を持って液体容器Ｃ（１６）上部に形成する様に液体容器Ｃ（１６）と爪（２０）を一体成型する、と共に液体容器Ｃ（１６）の液体容器Ｃ口部（２１）へ立ち上がり部と注ぎ樋蓋（１７）側部の注ぎ樋蓋裾（１８）は連立突起（１９）から引っ掛け爪（２０）を外すことが出来る十分な間隔をとる。
【００３０】
液体容器Ａ（１）への液体の補充は、液体容器Ａ（１）を左手で持ち右手親指と人差し指で液体注ぎ樋蓋裾（９）掴み、注ぎ樋蓋裾（９）をつかむ際に親指の第一関節にハンドルレバー（８）をあてがいながら注ぎ樋蓋裾（９）を回し連立突起（４）から爪（５）を外し、更に液体容器Ａ（１）から注ぎ樋蓋（６）を外して液体容器Ａ口部（２）より液体を補充する、液体を補充した後注ぎ樋蓋（６）上部を回して連立突起（４）に爪（５）が引っ掛かる迄回す。
【００３１】
液体容器Ｂ（１０）への液体の補充は、液体容器Ｂ口部（１４）の中心を中心として液体注ぎ樋蓋裾（１２）内側の爪（１３）から９０度左右の注ぎ樋蓋裾（１２）を親指と人差し指で液体容器Ｂ口部（１４）迄押し付けて連立突起（１５）から爪（１３）を外してから、注ぎ樋蓋裾（１２）を回し緩めて液体容器Ｂ（１０）より注ぎ樋蓋（１１）を外して液体容器Ｂ口部（１４）より液体を補充する、液体を補充した後注ぎ樋蓋（１１）上部を回し連立突起（１５）に爪（１３）が引っ掛かる迄回す。
【００３２】
液体容器Ｃ（１６））へ液体の補充は、液体注ぎ樋蓋裾（１８）外側に形成された2箇所の連立突起（１９）すぐ横それぞれの２箇所の注ぎ樋蓋裾（１８）を、親指と人差し指又は中指で液体容器Ｃ口部（２１）迄押し付けて液体注ぎ樋蓋裾（１８）を変形して連立突起（１９）から爪（２０）を外してから、注ぎ樋蓋裾（１８）を回し緩めて液体容器Ｃ（１６）より注ぎ樋蓋（１７）を外して液体容器Ｃ口部（21）より液体を補充する、液体を補充した後注ぎ樋蓋（１７）上部を回し連立突起（１９）に爪（20）が引っ掛かる迄回す。
【００３３】
液体容器D（２２）の形態は、液体容器D（２２）口部の雄螺子に螺合する雌螺子を形成して成る注ぎ樋蓋（２３）側面の下部に連立突起（２４）を雌螺子の傾斜角度と同じ傾斜角度を持って形成し、連立突起（２４）に引っ掛かる引っ掛け爪（２５）を連立突起（２４）の傾斜角度と同じ傾斜角度を持って形成して、爪（２５）から続いていて爪（２５）をコントロールするハンドルレバー（２６）と、爪（２５）取り付け装置を柔軟性合成樹脂で一体に成型して、液体容器D（２２）上部に爪（２５）取り付け装置を挿入する穴（２７）を設けて、爪（２５）取り付け装置を爪（２５）取り付け穴（２７）に挿入して装着する。
【００３４】
前記爪（２５）取り付け装置の形状は、液体容器D（２２）上部の爪（２５）取り付け穴（２７）奥に係止する多角柱部分（２８）と、ハンドルレバー（２６）に続きハンドルレバー（２６）を回転するための円柱部分（２９）と、多角柱部分（２８）と円柱部分（２９）とを繋ぎ多角柱部分（２８）と円柱部分（２９）よりも細くなっているハンドルレバー（２６）を引いてねじれハンドルレバー（２６）を離すとねじれが戻るくびれ部分（３０）とから成っていて、爪（２５）取り付け穴（２７）下部は爪（２５）取り付け装置の多角柱部分（２８）を係合する多角筒形状にして多角筒部分の上は円筒形にした蓋のゆるみ止め機構を備えた包装容器である。
【００３５】
液体容器D（２２）への液体の補充は、左手人さし指をハンドルレバー（２６）にあてがいその他の指で液体容器D（２２）を握って、人さし指でハンドルレバー（２６）を操作して連立突起（２４）と爪（２５）との係合を解き、右手で注ぎ樋蓋（２３）を廻し、注ぎ樋蓋（２３）を液体容器D（２２）口部より外して口部より液体を補充する、液体を補充した後注ぎ樋蓋（２３）上部を回し連立突起（２４）が爪（２５）に引っ掛かる迄回す。
【産業上の利用可能性】
【００３６】
抽出具蓋液体容器、計量カップ蓋液体容器、液体容器口部を覆う天板有して成る螺子蓋に使用できる。
【符号の説明】
【００３７】
１    液体容器Ａ  
２    液体容器Ａ口部
３    雄螺子
４    連立突起
５    爪
６    注ぎ樋蓋
７    雌螺子
８    ハンドルレバー
９    注ぎ樋蓋裾
１０  液体容器Ｂ
１１  注ぎ樋蓋
１２  注ぎ樋蓋裾
１３  爪
１４  液体容器Ｂ口部
１５  連立突起
１６  液体容器Ｃ
１７  注ぎ樋蓋
１８  注ぎ樋蓋裾
１９  連立突起
２０  爪
２１  液体容器口部
２２  液体容器D
２３  注ぎ樋蓋
２４  連立突起
２５  爪
２６  ハンドルレバー
２７  穴
２８  多角柱部分
２９  円柱部分
３０  くびれ部分
【図１】
2013177197.tif 000003
【図２】
2013177197.tif 000004
【図３】
2013177197.tif 000005
【図４】
2013177197.tif 000006
【図５】
2013177197.tif 000007
【図６】
2013177197.tif 000008
【図７】
2013177197.tif 000009
【図８】
2013177197.tif 000010
【図９】
2013177197.tif 000011
【図１０】
2013177197.tif 000012
【図１１】
2013177197.tif 000013
【図１２】
2013177197.tif 000014
【図１３】
2013177197.tif 000015
【図１４】
2013177197.tif 000016
【図１５】
2013177197.tif 000017
【図１６】
2013177197.tif 000018
【図１７】
2013177197.tif 000019
【図１８】
2013177197.tif 000020
【図１９】
2013177197.tif 000021
【図２０】
2013177197.tif 000022